(57)【要約】【課題】不定形原稿に記録された画像を変倍させることなく複写することができる画像形成装置を提供すること。【解決手段】原稿主走査長を検知する原稿主走査長検知手段１４１と、原稿副走査長を検知する原稿副走査長検知手段１４０と、画像データを記憶する画像記憶手段１３０と、記憶された画像データより得られる画像を回転させるよう画像データを回転変換する画像データ回転変換手段１７１と、転写紙が収容できる複数の給紙段を有する転写紙収容手段１６０と、複数の給紙段のうち１つの給紙段を選択する給紙段選択手段１６３と、選択された給紙段に収容された転写紙のサイズと原稿主走査長と原稿副走査長とに基づいて記憶された画像データ及び回転変換された画像データのうち１つの画像データを選択する画像データ選択手段１７２と、選択された画像データを選択された給紙段に収容された転写紙に記録する画像記録手段１８０と、を備える。【選択図】　図１
2004129127.tif 000002
【特許請求の範囲】
【請求項１】
給紙された原稿の給紙方向と直交する方向の長さを表す原稿主走査長を検知する原稿主走査長検知手段と、
前記原稿の給紙方向の長さを表す原稿副走査長を検知する原稿副走査長検知手段と、
前記原稿より読取られた画像データを記憶する画像記憶手段と、
前記画像記憶手段に記憶された画像データより得られる画像を回転させるよう画像データを回転変換する画像データ回転変換手段と、
転写紙が収容できる複数の給紙段を有する転写紙収容手段と、
前記複数の給紙段のうち１つの給紙段を選択する給紙段選択手段と、
選択された給紙段に収容された転写紙のサイズと前記原稿主走査長と前記原稿副走査長とに基づいて前記画像記憶手段に記憶された画像データ及び前記画像データ回転変換手段によって回転変換された画像データのうち１つの画像データを選択する画像データ選択手段と、
選択された画像データを前記給紙段選択手段によって選択された給紙段に収容された転写紙に記録する画像記録手段と、を備えたことを特徴とする画像形成装置。
【請求項２】
前記画像データ回転変換手段による回転変換が、前記画像を９０度及び−９０度の何れかの方向に回転させるようにしたことを特徴とする請求項１に記載の画像形成装置。
【請求項３】
前記給紙段収容された転写紙のサイズを示す転写紙サイズ情報を格納する転写紙サイズ情報格納手段を備え、
前記転写紙収容手段が、前記給紙段に転写紙が収容された際に、前記転写紙のサイズを検知し、検知されたサイズを示す転写紙サイズ情報を前記転写紙サイズ情報格納手段に格納し、
前記画像データ選択手段が、前記給紙段に収容された転写紙のサイズを前記転写紙サイズ情報格納手段より得るようにしたことを特徴とする請求項１又は請求項２に記載の画像形成装置。
【請求項４】
前記画像データ選択手段が、前記給紙段選択手段によって選択された給紙段に収容された転写紙の主走査方向の長さを表す転写紙主走査長と前記原稿主走査長とが等しい場合には、前記画像記憶手段に記憶された画像データを選択し、前記転写紙主走査長と前記原稿主走査長とが等しくない場合には、前記画像データ回転変換手段によって回転変換された画像データを選択するようにしたことを特徴とする請求項１乃至請求項３の何れかに記載の画像形成装置。
【請求項５】
前記給紙段選択手段が、前記原稿主走査長と等しい主走査長を有する転写紙が収容された給紙段を選択し、前記原稿主走査長と等しい主走査長を有する転写紙が収容された給紙段を選択できなかった場合には、前記原稿副走査長以上の主走査長を有する転写紙が収容された給紙段のうち最も短い主走査長を有する転写紙が収容された給紙段を選択するようにしたことを特徴とする請求項１乃至請求項４の何れかに記載の画像形成装置。
【請求項６】
前記給紙段を指定させる給紙段指定手段を備え、
前記給紙段選択手段が、前記原稿主走査長と等しい主走査長を有する転写紙が収容された給紙段を選択し、前記原稿主走査長と等しい主走査長を有する転写紙が収容された給紙段を選択できなかった場合には、前記原稿副走査長と等しい主走査長を有する転写紙が収容された給紙段を選択し、前記原稿副走査長と等しい主走査長を有する転写紙が収容された給紙段が選択できなかった場合には、前記給紙段指定手段によって指定された給紙段を選択するようにしたことを特徴とする請求項１乃至請求項４の何れかに記載の画像形成装置。
【請求項７】
前記原稿主走査長及び前記原稿副走査長の何れかと等しい主走査長を有する転写紙が収容された給紙段を前記給紙段選択手段が選択できなかったときに前記給紙段指定手段に給紙段を指定させる指定状態及び給紙段を指定させない非指定状態の何れか一方の状態に前記給紙段指定手段を設定する指定状態設定手段を備え、
前記原稿主走査長及び前記原稿副走査長の何れかと等しい主走査長を有する転写紙が収容された給紙段を前記給紙段選択手段が選択できなかった場合において、前記給紙段指定手段が非指定状態のときには、前記給紙段選択手段が、前記原稿副走査長以上の主走査長を有する転写紙が収容された給紙段のうち最も短い主走査長を有する転写紙が収容された給紙段を選択するようにしたことを特徴とする請求項６に記載の画像形成装置。
【請求項８】
前記給紙段指定手段によって指定された給紙段が前記給紙段選択手段によって選択された場合には、前記画像データ選択手段が、前記画像記憶手段に記憶された画像データを選択するようにしたことを特徴とする請求項６又は請求項７に記載の画像形成装置。
【発明の詳細な説明】
【０００１】
【発明の属する技術分野】
本発明は、複写機に関し、詳しくは、不定形原稿の複写を行う画像形成装置に関するものである。
【０００２】
【従来の技術】
従来、収容された転写紙のサイズの何れとも異なるサイズに形成された原稿、すなわち不定形原稿の複写を行う画像形成装置に関しては、原稿載置台にセットされた原稿の主走査方向の長さを表す原稿主走査長を検知し、該原稿が不定形原稿であるか否かを判定し、不定形原稿であると判定された場合には、該原稿に記録された画像を変倍して複写を行う技術が開示されている（例えば、特許文献１参照。）。
【０００３】
【特許文献１】
特開２００２−７１６０号公報（段落番号０１８７乃至０１８８、図３４）
【０００４】
【発明が解決しようとする課題】
しかしながら、このような従来の技術では、不定形原稿に記録された画像データを記録する際に、画像が変倍されて複写されるといった問題があった。
【０００５】
本発明は、このような問題を解決するためになされたもので、不定形原稿に記録された画像を変倍させることなく複写することができる画像形成装置を提供するものである。
【０００６】
【課題を解決するための手段】
本発明の請求項１に係る画像形成装置は、給紙された原稿の給紙方向と直交する方向の長さを表す原稿主走査長を検知する原稿主走査長検知手段と、前記原稿の給紙方向の長さを表す原稿副走査長を検知する原稿副走査長検知手段と、前記原稿より読取られた画像データを記憶する画像記憶手段と、前記画像記憶手段に記憶された画像データより得られる画像を回転させるよう画像データを回転変換する画像データ回転変換手段と、転写紙が収容できる複数の給紙段を有する転写紙収容手段と、前記複数の給紙段のうち１つの給紙段を選択する給紙段選択手段と、選択された給紙段に収容された転写紙のサイズと前記原稿主走査長と前記原稿副走査長とに基づいて前記画像記憶手段に記憶された画像データ及び前記画像データ回転変換手段によって回転変換された画像データのうち１つの画像データを選択する画像データ選択手段と、選択された画像データを前記給紙段選択手段によって選択された給紙段に収容された転写紙に記録する画像記録手段と、を備えている。
【０００７】
この構成により、不定形原稿から読込まれた画像データから得られる画像を回転させて転写紙に記録するため、不定形原稿に記録された画像を変倍させることなく複写することができる。
【０００８】
本発明の請求項２に係る画像形成装置は、請求項１において、前記画像データ回転変換手段による回転変換が、前記画像を９０度及び−９０度の何れかの方向に回転させるように構成されている。
【０００９】
この構成により、請求項１の効果に加えて、不定形原稿から読込まれた画像データから得られる画像を９０度及び−９０度の何れかの方向に回転させて転写紙に記録するため、不定形原稿に記録された画像を変倍させることなく複写することができる。
【００１０】
本発明の請求項３に係る画像形成装置は、請求項１又は請求項２において、前記給紙段収容された転写紙のサイズを示す転写紙サイズ情報を格納する転写紙サイズ情報格納手段を備え、前記転写紙収容手段が、前記給紙段に転写紙が収容された際に、前記転写紙のサイズを検知し、検知されたサイズを示す転写紙サイズ情報を前記転写紙サイズ情報格納手段に格納し、前記画像データ選択手段が、前記給紙段に収容された転写紙のサイズを前記転写紙サイズ情報格納手段より得るように構成されている。
【００１１】
この構成により、請求項１又は請求項２の効果に加えて、給紙段に収容された転写紙のサイズを検知して転写紙サイズ情報格納手段に格納するため、転写紙のサイズを効率よく取得できる。
【００１２】
本発明の請求項４に係る画像形成装置は、請求項１乃至請求項３の何れかにおいて、前記画像データ選択手段が、前記給紙段選択手段によって選択された給紙段に収容された転写紙の主走査方向の長さを表す転写紙主走査長と前記原稿主走査長とが等しい場合には、前記画像記憶手段に記憶された画像データを選択し、前記転写紙主走査長と前記原稿主走査長とが等しくない場合には、前記画像データ回転変換手段によって回転変換された画像データを選択するように構成されている。
【００１３】
この構成により、請求項１乃至請求項３の何れかの効果に加えて、原稿主走査長と等しい主走査長の転写紙には回転変換していない画像データが記録されるため、記録された画像データが不要に回転変換されることを抑止できる。
【００１４】
本発明の請求項５に係る画像形成装置は、請求項１乃至請求項４の何れかにおいて、前記給紙段選択手段が、前記原稿主走査長と等しい主走査長を有する転写紙が収容された給紙段を選択し、前記原稿主走査長と等しい主走査長を有する転写紙が収容された給紙段を選択できなかった場合には、前記原稿副走査長以上の主走査長を有する転写紙が収容された給紙段のうち最も短い主走査長を有する転写紙が収容された給紙段を選択するように構成されている。
【００１５】
この構成により、請求項１乃至請求項４の何れかの効果に加えて、原稿主走査長及び原稿副走査長が不定形な場合には、主走査が原稿副走査長以上の転写紙に画像データを回転変換させて記録するため、主走査長及び副走査長が不定形な原稿に記録された画像を変倍させることなく複写することができる。
【００１６】
本発明の請求項６に係る画像形成装置は、請求項１乃至請求項４の何れかにおいて、前記給紙段を指定させる給紙段指定手段を備え、前記給紙段選択手段が、前記原稿主走査長と等しい主走査長を有する転写紙が収容された給紙段を選択し、前記原稿主走査長と等しい主走査長を有する転写紙が収容された給紙段を選択できなかった場合には、前記原稿副走査長と等しい主走査長を有する転写紙が収容された給紙段を選択し、前記原稿副走査長と等しい主走査長を有する転写紙が収容された給紙段が選択できなかった場合には、前記給紙段指定手段によって指定された給紙段を選択するように構成されている。
【００１７】
この構成により、請求項１乃至請求項４の何れかの効果に加えて、原稿主走査長及び原稿副走査長が不定形な場合には、利用者に給紙段を選択させるため、利用者の意図に反した転写紙に画像データが記録されることを抑止することができる。
【００１８】
本発明の請求項７に係る画像形成装置は、請求項６において、前記原稿主走査長及び前記原稿副走査長の何れかと等しい主走査長を有する転写紙が収容された給紙段を前記給紙段選択手段が選択できなかったときに前記給紙段指定手段に給紙段を指定させる指定状態及び給紙段を指定させない非指定状態の何れか一方の状態に前記給紙段指定手段を設定する指定状態設定手段を備え、前記原稿主走査長及び前記原稿副走査長の何れかと等しい主走査長を有する転写紙が収容された給紙段を前記給紙段選択手段が選択できなかった場合において、前記給紙段指定手段が非指定状態のときには、前記給紙段選択手段が、前記原稿副走査長以上の主走査長を有する転写紙が収容された給紙段のうち最も短い主走査長を有する転写紙が収容された給紙段を選択するように構成されている。
【００１９】
この構成により、請求項６の効果に加えて、前記原稿主走査長と等しい主走査長を有する転写紙が収容された給紙段及び前記原稿副走査長と等しい主走査長を有する転写紙が収容された給紙段がなかった場合に利用者に給紙段を指定させるか否かを設定させるため、利用者に応じて給紙段の指定動作を変更することができる。
【００２０】
本発明の請求項８に係る画像形成装置は、請求項６又は請求項７において、前記給紙段指定手段によって指定された給紙段が前記給紙段選択手段によって選択された場合には、前記画像データ選択手段が、前記画像記憶手段に記憶された画像データを選択するように構成されている。
【００２１】
この構成により、請求項６又は請求項７の効果に加えて、利用者によって給紙段が指定された際には、回転変換していない画像データが転写紙に記録されるため、利用者の意図に反した画像データの回転変換を抑止することができる。
【００２２】
【発明の実施の形態】
以下、本発明の実施の形態を図面を参照して説明する。
図１は、本発明の一実施の形態に係る画像形成装置１００の構成を示すブロック図である。
【００２３】
画像形成装置１００は、画像読取手段１１０と、画像処理手段１２０と、画像記憶手段１３０と、原稿副走査長検知手段１４０と、原稿主走査長検知手段１４１と、転写紙サイズ情報格納手段１５０と、転写紙収容手段１６０と、給紙段指定手段１６１と、指定状態設定手段１６２と、給紙段選択手段１６３と、画像データ回転変換手段１７１と、画像データ選択手段１７２と、画像記録手段１８０と、によって構成され、画像記憶手段１３０に格納された画像データを転写紙収容手段１６０に収容された転写紙に記録するようになっている。
【００２４】
画像読取手段１１０は、後述する画像読取センサ１１０２によって構成され、給紙された原稿に記録された画像データを読取り、読取られた画像データを画像処理手段１２０に出力するようになっている。
【００２５】
画像読取手段１１０によって出力された画像データは、画像処理手段１２０に入力されるようになっており、画像処理手段１２０は、入力された画像データを補正するなどの画像処理を行い、画像処理された画像データを画像記憶手段１３０に出力するようになっている。
【００２６】
画像処理手段１２０によって出力された画像データは、画像記憶手段１３０に入力されるようになっており、画像記憶手段１３０は、入力された画像データを格納するようになっている。
【００２７】
原稿副走査長検知手段１４０は、後述する原稿レジスト検知センサ１１０１によって構成され、原稿の給紙方向の長さを表す原稿副走査長を検知し、検知された原稿副走査長を示す原稿副走査長情報を生成し、生成された原稿副走査長情報を給紙段選択手段１６３に出力するようになっている。
【００２８】
原稿主走査長検知手段１４１は、後述する原稿主走査長検知センサ１４１０によって構成され、原稿の給紙方向と直交する方向の長さを表す原稿主走査長を、定形サイズを構成する定形主走査長に丸めて検知し、検知された定形主走査長を示す原稿主走査長情報を生成し、生成された原稿主走査長情報を給紙段選択手段１６３に出力するようになっている。
【００２９】
ここで、定形サイズは、定形主走査長及び定形副走査長よりなり、例えば、日本工業規格によって規定されているＡ列３番などのサイズである。また、前述した転写紙サイズは、定形サイズに含まれているものとする。
【００３０】
転写紙収容手段１６０を構成する後述する給紙段に転写紙が収容された際に、転写紙収容手段１６０によって出力される後述する転写紙サイズ情報は、転写紙サイズ情報格納手段１５０に入力されるようになっており、転写紙サイズ情報格納手段１５０は、入力された転写紙サイズ情報を格納するようになっている。
【００３１】
給紙段選択手段１６３によって出力された後述する給紙段選択信号は、転写紙収容手段１６０に入力されるようになっており、転写紙収容手段１６０は、転写紙サイズを有する転写紙がそれぞれ収容できる複数の給紙段を有し、入力された給紙段選択信号によって選択された給紙段に収容された転写紙を画像記録手段１８０に搬送するようになっている。
【００３２】
また、転写紙収容手段１６０は、給紙段に転写紙が収容された際に、転写紙のサイズを検出して、検出されたサイズ、すなわち転写紙サイズを示す転写紙サイズ情報を転写紙サイズ情報格納手段１５０に出力するようになっている。
【００３３】
指定状態設定手段１６２は、後述する操作表示部１６１０によって構成され、給紙段選択手段１６３による給紙段の選択時に、給紙段指定手段１６１に給紙段を指定させる指定状態及び給紙段を指定させない非指定状態の何れか一方の状態に給紙段指定手段１６１を設定するための指定状態信号を生成し、生成された指定状態信号を給紙段指定手段１６１に出力するようになっている。
【００３４】
図５（ａ）は、指定状態設定手段１６２による表示例を示す例図である。この例において、自動選択給紙モードとは、給紙段指定手段１６１を非指定状態に設定することを意味している。すなわち、「はい」ボタンを押下した場合には、給紙段指定手段１６１を非指定状態に設定し、「いいえ」ボタンを押下した場合には、給紙段指定手段１６１を指定状態に設定することになる。
【００３５】
指定状態設定手段１６２によって出力された指定状態信号は、給紙段指定手段１６１に入力されるようになっており、給紙段指定手段１６１は、後述する操作表示部１６１０によって構成され、入力された指定状態信号に応じて指定状態又は非指定状態となり、指定状態のときには、給紙段を指定させ、指定された給紙段を示す指定給紙段情報を生成し、生成された指定給紙段情報を給紙段選択手段１６３及び画像データ選択手段１７２に出力するようになっている。
【００３６】
原稿副走査長検知手段１４０によって出力された原稿副走査長情報、原稿主走査長検知手段１４１によって出力された原稿主走査長情報、及び給紙段指定手段１６１によって出力された指定給紙段情報は、給紙段選択手段１６３に入力されるようになっており、給紙段選択手段１６３は、転写紙サイズ情報格納手段１５０に格納された転写紙サイズ情報、入力された原稿副走査長情報に示された原稿副走査長、原稿主走査長情報に示された原稿主走査長、及び指定給紙段情報に基づいて転写紙収容手段１６０を構成する給紙段のうち１つの給紙段を選択し、選択された給紙段を示す給紙段選択信号を転写紙収容手段１６０に出力するようになっている。
【００３７】
ここで、給紙段選択手段１６３は、原稿主走査長と等しい主走査長を有する転写紙が収容された給紙段を選択するようになっている。
一方、給紙段選択手段１６３は、原稿主走査長と等しい主走査長を有する転写紙が収容された給紙段を選択できなかった場合には、原稿副走査長と等しい主走査長を有する転写紙が収容された給紙段を選択するようになっている。
【００３８】
さらに、給紙段選択手段１６３は、原稿副走査長と等しい主走査長を有する転写紙が収容された給紙段を選択できなかった場合には、指定給紙段情報が入力されているときには指定給紙段情報に応じた給紙段を選択し、指定給紙段情報が入力されていないときには、原稿副走査長以上の主走査長を有する転写紙が収容された給紙段のうち最も短い主走査長を有する転写紙が収容された給紙段を選択するようになっている。
【００３９】
また、給紙段選択手段１６３は、原稿主走査長と等しい主走査長を有する転写紙が収容された給紙段を選択できたか否かを示す主走査長判定信号を生成し、生成された主走査長判定信号を画像データ選択手段１７２に出力するようになっている。
【００４０】
画像データ回転変換手段１７１は、画像記憶手段１３０に記憶されている画像データを取得し、取得された画像データより得られる画像を９０度又は−９０度回転させるよう画像データを回転変換し、回転変換された画像データを画像記録手段１８０に出力するようになっている。
【００４１】
給紙段選択手段１６３によって出力された主走査長判定信号、画像データ回転変換手段１７１によって出力された画像データ、及び給紙段指定手段１６１によって出力された指定給紙段情報は、画像データ選択手段１７２に入力されるようになっており、画像データ選択手段１７２は、入力された主走査長判定信号に原稿主走査長と等しい主走査長を有する転写紙が収容された給紙段を選択できた旨が示され、又は、指定給紙段情報が入力された場合には、画像記憶手段１３０に記憶されている画像データを、入力された主走査長判定信号に原稿主走査長と等しい主走査長を有する転写紙が収容された給紙段を選択できなかった旨が示され、かつ、指定給紙段情報が入力されなかった場合には、入力された画像データを画像記録手段１８０に出力するようになっている。
【００４２】
画像データ選択手段１７２によって出力された画像データは、画像記録手段１８０に入力されるようになっており、画像記録手段１８０は、入力された画像データを転写紙収容手段１６０より搬送された転写紙に記録するようになっている。
【００４３】
図２は、本発明の一実施の形態に係る画像形成装置１００本体の概略を示す概略図である。
画像形成装置１００は、原稿給紙部１００１より給紙された原稿を、原稿セット検知センサ１００２、原稿主走査長検知センサ１４１０、原稿レジスト検知センサ１１０１、及び、画像読取センサ１１０２に沿うように搬送し、原稿排紙部１００３より排紙するようになっている。
【００４４】
原稿セット検知センサ１００２は、光学センサ等のセンサによって構成され、原稿給紙部１００１から給紙された原稿を検知するようになっている。
原稿主走査長検知センサ１４１０は、前述した定形主走査長に基づいて原稿を給紙する方向と直交する方向に配置された複数の光学センサによって構成され、それぞれの光学センサによって原稿が検知されたか否かに基づいて、原稿主走査長を定形主走査長に丸めて検知する原稿主走査長検知手段１４１を構成する。
【００４５】
原稿レジスト検知センサ１１０１は、光学センサ等のセンサによって構成され、原稿位置と画像読取センサ１１０２の読取位置とのずれを補正するために、原稿の開始位置と終了位置を検知するようになっており、原稿を搬送する図示しないステップモータの原稿の開始時のステップ数と原稿の終了時のステップ数との差分によって原稿副走査長を検知する原稿副走査長検知手段１４０を構成する。
【００４６】
画像読取センサ１１０２は、原稿から画像を読取る画像読取手段１１０を構成し、図示しない蛍光体によって露光された原稿表面に記録された画像を光学センサによって光電変換し、光電変換された画像データを生成するようになっている。
【００４７】
また、画像形成装置１００は、給紙トレイ１６００又は手差しトレイ１６０１より給紙された転写紙を作像部１８１０及び定着部１８０２によって画像を記録し、画像が記録された転写紙を転写紙排紙部１８５０に排紙するようになっている。
【００４８】
給紙トレイ１６００は、転写紙がロール上に巻き回されたロール紙を収容するロール紙給紙部１６０２と、あらかじめ定められた寸法に裁断されたカット紙を収容するカット紙給紙部１６０３とを備え、転写紙収容手段１６０を構成する。
【００４９】
なお、ロール紙給紙部１６０２及びカット紙給紙部１６０３には、複数の転写紙サイズの転写紙が収容できる。また、給紙段とは、ロール紙給紙部１６０２においては、ロール紙が巻き回されたものをさし、カット紙給紙部１６０３においては、１つのサイズのカット紙を収容するそれぞれのトレイをさす。
【００５０】
ロール紙給紙部１６０２の給紙方向下流側には、給紙されているロール紙の副走査方向の長さを検知する転写紙長検知部１６０４と、転写紙長検知部１６０４によって検知された副走査方向の長さに基づいてあらかじめ定められた長さでロール紙を裁断するロール紙カット部１６０５が設けられている。
【００５１】
作像部１８１０及び定着部１８０２は、画像記録手段１８０を構成し、作像部１８１０は、画像データ回転変換手段１７１によって出力された画像データに基づいて感光体ドラムによって給紙された転写紙にトナーを転写するようになっており、定着部１８０２は、作像部１８１０によってトナーが転写された転写紙に高い温度と圧力を以って転写されたトナーを圧着させるようになっている。
【００５２】
画像形成装置１００には、操作表示部１６１０がさらに設けられ、操作表示部１６１０は、ディスプレイ装置等の表示手段及びキーボード装置等の入力手段を有し、利用者に情報を入力させると共に、利用者に情報を出力するようになっている。なお、前述した給紙段指定手段１６１及び指定状態設定手段１６２は、操作表示部１６１０によって構成されている。
【００５３】
以下、画像形成装置１００の動作を図面を参照して説明する。
図３及び図４は、本発明の一実施の形態に係る画像形成装置１００の動作を示すフローチャートである。
【００５４】
まず、原稿給紙部１００１より給紙された原稿は、原稿セット検知センサ１００２によって検知され（Ｓ３１０、図３）、原稿主走査長検知センサ１４１０によって構成される原稿主走査長検知手段１４１によって原稿主走査長が検知される（Ｓ３１１）。
【００５５】
次に、転写紙収容手段１６０を構成する給紙段のうち、原稿主走査長と等しい主走査長を有する転写紙が収容された給紙段が給紙段選択手段１６３によって選択される（Ｓ３２０）。
【００５６】
原稿主走査長と等しい主走査長を有する転写紙が収容された給紙段が給紙段選択手段１６３によって選択できた場合（Ｓ３２１）に、原稿レジスト検知センサ１１０１によって原稿の開始位置が検出される（Ｓ３３０）と、画像読取センサ１１０２を介して画像読取手段１１０によって原稿に記録された画像が読取られ（Ｓ３３１）、読取られた画像データが画像処理手段１２０によって画像処理され（Ｓ３３２）、画像処理された画像データが画像記憶手段１３０に記憶され（Ｓ３３３）、給紙段選択手段１６３によって選択された給紙段に収容された転写紙に画像記憶手段１３０に記憶された画像データが画像記録手段１８０によって記録される（Ｓ３３４）。
【００５７】
原稿レジスト検知センサ１１０１によって原稿の終了位置が検出される（Ｓ３３６）と、画像読取手段１１０による画像の読取りが終了し、画像の読取りの終了に連れて画像記録手段１８０による画像データの記録が終了し、画像データが記録された転写紙が排紙される（Ｓ３９０）。
【００５８】
一方、原稿主走査長と等しい主走査長を有する転写紙が収容された給紙段が給紙段選択手段１６３によって選択できなかった場合（Ｓ３２１）に、原稿レジスト検知センサ１１０１によって原稿の開始位置が検出されると（Ｓ４３０、図４）、画像読取センサ１１０２を介して画像読取手段１１０によって原稿に記録された画像が読取られ（Ｓ４３１）、読取られた画像データが画像処理手段１２０によって画像処理され（Ｓ４３２）、画像処理された画像データが画像記憶手段１３０に記憶される（Ｓ４３３）と共に、原稿副走査長検知手段１４０を構成する原稿レジスト検知センサ１１０１によって原稿の副走査長が検知される（Ｓ４３５）。
【００５９】
原稿レジスト検知センサ１１０１によって原稿の終了位置が検出される（Ｓ４３６）と、画像読取手段１１０による画像の読取りが終了し、原稿副走査長検知手段１４０による副走査長の検知が終了する。
【００６０】
次に、転写紙収容手段１６０を構成する給紙段のうち、原稿副走査長と等しい主走査長を有する転写紙が収容された給紙段が給紙段選択手段１６３によって選択される（Ｓ４４０）。
【００６１】
原稿副走査長と等しい主走査長を有する転写紙が収容された給紙段が給紙段選択手段１６３によって選択できた場合（Ｓ４４１）に、画像記憶手段１３０に記憶された画像データが回転変換され（Ｓ４８０）、給紙段選択手段１６３によって選択された給紙段に収容された転写紙に回転変換された画像データが画像記録手段１８０によって記録され（Ｓ４８１）、画像データが記録された転写紙が排紙される（Ｓ３９０、図３）。
【００６２】
一方、原稿副走査長と等しい主走査長を有する転写紙が収容された給紙段が給紙段選択手段１６３によって選択できなかった場合（Ｓ４２１、図４）において、給紙段指定手段１６１が非指定状態の場合には（Ｓ４５０）、転写紙収容手段１６０を構成する給紙段のうち、原稿副走査長以上の主走査長を有する転写紙が収容された給紙段のうち最も短い主走査長を有する転写紙が収容された給紙段が給紙段選択手段１６３によって選択される（Ｓ４６０）。
【００６３】
原稿副走査長以上の主走査長を有する転写紙が収容された給紙段のうち最も短い主走査長を有する転写紙が収容された給紙段が給紙段選択手段１６３によって選択できた場合（Ｓ４６１）に、画像記憶手段１３０に記憶された画像データが回転変換され（Ｓ４８０）、給紙段選択手段１６３によって選択された給紙段に収容された転写紙に回転変換された画像データが画像記録手段１８０によって記録され（Ｓ４８１）、画像データが記録された転写紙が排紙される（Ｓ３９０、図３）。
【００６４】
一方、原稿副走査長以上の主走査長を有する転写紙が収容された給紙段が給紙段選択手段１６３によって選択できなかった場合（Ｓ４６１）に、操作表示部１６１０によって給紙段が選択できなかった旨を表示する（Ｓ４６２）。
【００６５】
なお、図５（ｂ）は、操作表示部１６１０による給紙段が選択できなかった旨を表示するメッセージの表示例を示す例図である。この例において「確認」ボタンを押下すると以下に説明するステップに動作が移る。
【００６６】
操作表示部１６１０を介して了解の旨の入力があったとき、給紙段指定手段１６１によって給紙段を指定させ（Ｓ４７０）、給紙段指定手段１６１によって給紙段が指定されたとき、給紙段選択手段１６３によって選択された給紙段に収容された転写紙に画像記憶手段１３０に記憶された画像データが画像記録手段１８０によって記録され（Ｓ４７１）、画像データが記録された転写紙が排紙される（Ｓ３９０、図３）。
【００６７】
一方、給紙段指定手段１６１が指定状態の場合には（Ｓ４５０、図４）、給紙段指定手段１６１によって給紙段を指定させる（Ｓ４７０）。
給紙段指定手段１６１によって給紙段が指定されたとき、給紙段選択手段１６３によって選択された給紙段に収容された転写紙に画像記憶手段１３０に記憶された画像データが画像記録手段１８０によって記録され（Ｓ４７１）、画像データが記録された転写紙が排紙される（Ｓ３９０、図３）。
【００６８】
このように、画像形成装置１００によれば、不定形原稿から読込まれた画像データから得られる画像を回転させて転写紙に記録するため、不定形原稿に記録された画像を変倍させることなく複写することができる。
【００６９】
【発明の効果】
以上説明したように、本発明は、不定形原稿に記録された画像を変倍させることなく複写することができる画像形成装置を提供することができる。
【図面の簡単な説明】
【図１】本発明の一実施の形態に係る画像形成装置の構成を示すブロック図である。
【図２】本発明の一実施の形態に係る画像形成装置本体の概略を示す概略図である。
【図３】本発明の一実施の形態に係る画像形成装置の動作を示すフローチャートである。
【図４】図３に続くフローチャートである。
【図５】本発明の一実施の形態に係る画像形成装置の操作表示部による表示例を示す例図である。
【符号の説明】
１００　画像形成装置
１１０　画像読取手段
１２０　画像処理手段
１３０　画像記憶手段
１４０　原稿副走査長検知手段
１４１　原稿主走査長検知手段
１５０　転写紙サイズ情報格納手段
１６０　転写紙収容手段
１６１　給紙段指定手段
１６２　指定状態設定手段
１６３　給紙段選択手段
１７１　画像データ回転変換手段
１７２　画像データ選択手段
１８０　画像記録手段
１００１　原稿給紙部
１００２　原稿セット検知センサ
１００３　原稿排紙部
１１０１　原稿レジスト検知センサ
１１０２　画像読取センサ
１４１０　原稿主走査長検知センサ
１６００　給紙トレイ
１６０１　手差しトレイ
１６０２　ロール紙給紙部
１６０３　カット紙給紙部
１６０４　転写紙長検知部
１６０５　ロール紙カット部
１６１０　操作表示部
１８０２　定着部
１８１０　作像部
１８５０　転写紙排紙部
【図１】
2004129127.tif 000003
【図２】
2004129127.tif 000004
【図３】
2004129127.tif 000005
【図４】
2004129127.tif 000006
【図５】
2004129127.tif 000007